(57)【要約】【課題】  レンズ保持体組品にバランスウエイトを取付けなくても、トラッキング方向にレンズ保持体組品が平行移動できるレンズ駆動装置を提供する【解決手段】  レンズ駆動装置は、一の向きに発する光を集束させるための対物レンズ４と、対物レンズ４が固定されたレンズ保持体５と、巻き中心軸が上記の一の向きに対して垂直になるように配置されたトラッキングコイル７と、トラッキングコイル７によるレンズ保持体５の駆動方向に沿った両側から、レンズ保持体５を挟みつつ、弾性変形が可能なように配置された棒状の弾性支持体とを備える。上記の弾性支持体は、金属ワイヤ９ａと、対物レンズ４からみて金属ワイヤ９ａより遠くなるように配置された金属ワイヤ９ｂとの２列で形成され、金属ワイヤ９ｂの弾性係数が金属ワイヤ９ａの弾性係数より大きくなるように、異なる材料でそれぞれ形成されている。【選択図】        図１
2005107145.tif 000002
【特許請求の範囲】
【請求項１】
一の向きに発する光を集束させるためのレンズと、
前記レンズが固定されたレンズ保持体と、
巻き中心軸が前記一の向きに対して垂直になるように配置されたトラッキングコイルと、
前記トラッキングコイルによる前記レンズ保持体の駆動方向に沿った両側から前記レンズ保持体を挟み込みつつ、弾性変形が可能なように配置された棒状の弾性支持体と
を備え、
前記弾性支持体は、それぞれの長手方向が前記一の向きおよび前記駆動方向のいずれに対してもほぼ垂直になるように２列以上配置され、これらのうち任意の２列に注目したときに、前記レンズから遠い側の列にあるものが、他の列にあるものより前記駆動方向に曲がりにくくなるように形成された構成を備える、レンズ駆動装置。
【請求項２】
前記弾性支持体は、第１ワイヤと、
前記レンズにからみて前記第１ワイヤより遠くなるように配置された第２ワイヤと
の２列で形成された、請求項１に記載のレンズ駆動装置。
【請求項３】
前記弾性支持体は、前記第２ワイヤの弾性係数が前記第１ワイヤの弾性係数より大きくなるように、異なる材料でそれぞれ形成されている、請求項２に記載のレンズ駆動装置。
【請求項４】
前記第１ワイヤまたは前記第２ワイヤは、材質にベリリウム銅を含む、請求項２に記載のレンズ駆動装置。
【請求項５】
前記第１ワイヤまたは前記第２ワイヤは、材質にリン青銅を含む、請求項２に記載のレンズ駆動装置。
【請求項６】
前記第１ワイヤおよび前記第２ワイヤは、円柱状に形成され、
前記第２ワイヤの径が前記第１ワイヤの径より大きくなるように形成された、請求項２に記載のレンズ駆動装置。
【請求項７】
前記第１ワイヤおよび前記第２ワイヤは、共に前記長手方向に垂直な断面が、互いに相似な楕円または互いに相似な長方形になるように形成され、
前記第２ワイヤは、前記断面における面積が、前記第１ワイヤより大きくなるように形成された、請求項２に記載のレンズ駆動装置。
【請求項８】
前記第１ワイヤおよび前記第２ワイヤは、共に前記長手方向に垂直な断面が、楕円または長方形になるように形成され、
前記第２ワイヤは、前記断面における前記駆動方向の長さが、前記第１ワイヤより大きくなるように形成された、請求項２に記載のレンズ駆動装置。
【発明の詳細な説明】
【技術分野】
【０００１】
本発明は、レンズ駆動装置に関する。特に、光ピックアップ装置に搭載されるレンズ駆動装置に関する。
【背景技術】
【０００２】
ビデオディスクやオーディオディスクなどの光記録媒体に保存されている情報を読出す装置としては、光ピックアップ装置が用いられている。光ピックアップ装置は、光記録媒体にレーザ光を当てて情報を読取るためのレンズ駆動装置を含んでいる。光記録媒体の情報を正しく読取るためには、レーザ光を光記録媒体（光ディスク）で正確に集束させる必要がある。このため、レンズ駆動装置には、レーザ光を発する方向に移動するためのフォーカシング駆動機構が含まれている。また、光ディスクの情報が書込まれているトラックにレーザ光を追従させる必要があるため、トラッキング方向に移動するためのトラッキング駆動機構が含まれている。２つの方向に駆動するための機構として、たとえば、特許第２８２７００４号明細書においては、レンズを保持して駆動するように形成されたレンズ保持部として４本の弾性支持材で保持するレンズ駆動装置が開示されている。また、特許第２５４６５４１号明細書においては、コイルの電流供給用の導体として弾性支持材を用いるレンズ駆動装置が開示されている。これらの特許文献には、光ピックアップ装置のレンズ駆動装置において、レンズを保持するための保持部を支持する部分が４本の弾性支持体（金属ワイヤなど）から形成され、弾性支持体の一端を保持部に反対側の端を固定部に接合して、レンズ保持体をフォーカシング方向およびトラッキング方向に駆動できるように形成されたレンズ駆動装置が開示されている。
【０００３】
図９および図１０に、従来の技術に基づくレンズ駆動装置の説明図を示す。図９は、従来の技術に基づくレンズ駆動装置の斜視図である。レンズ駆動装置のほぼ中央における上側には、レーザ光を集光するための対物レンズ４が配置されている。対物レンズ４は、レンズ保持体５に保持されている。レンズ保持体５の主要部は直方体状に形成され、主要部の上側に、突起する部分が形成されて対物レンズ４が固定されている。
【０００４】
レンズ保持体５の側面のまわりには、レンズ保持体５を矢印４１に示すフォーカシング方向に移動させるためのフォーカシングコイル６が巻付けられている。このレンズ駆動装置には、フォーカシングコイル６が上下の２列巻付けられている。フォーカシングコイル６は、巻中心軸がフォーカシング方向である矢印４１の方向に平行になるように配置されている。レンズ保持体５のフォーカシングコイル６の外側には、保持体側基板８が配置されている。保持体側基板８は、レンズ保持体５を挟み込むように、レンズ保持体５の直方体状の主要部の側面のうち、互いに対向する２面に配置されている。保持体側基板８は、レンズ保持体５と一体的に動くようにレンズ保持体５に固定されている。また、保持体側基板８は、フォーカシングコイル６およびトラッキングコイル７のリード線を後述する金属ワイヤ９に接続する役割を果たしている。
【０００５】
レンズ保持体５の側面のうち、保持体側基板８が取付けられた側面に隣り合う側面には、トラッキングコイル７が配置されている。トラッキングコイル７は、レンズ保持体５の側面のうち、２つの側面に対向するように形成されている。また、１つの側面に対して、水平方向に２個配置されている。トラッキングコイル７は、巻中心軸がフォーカシング方向である矢印４１の方向に対して垂直になるように配置されている。対物レンズ４、レンズ保持体５、フォーカシングコイル６、トラッキングコイル７および保持体側基板８は、一体的に移動する。本明細書においては、レンズ駆動装置のうち、対物レンズを保持してトラッキング方向およびフォーカシング方向に一体的に移動する組品を「レンズ保持体組品」という。
【０００６】
保持体側基板８の外側には、レンズ保持体組品２５を保持するための金属ワイヤ９が取付けられている。金属ワイヤ９は、２つの保持体側基板にそれぞれ２本ずつ固定されている。すなわち、レンズ保持体組品２５は、４本の金属ワイヤ９で保持されている。金属ワイヤ９は、断面が円形の線材が使用されている。また、この４本の金属ワイヤ９は、それぞれ同じ長さ、断面形状のものを用いている。
【０００７】
金属ワイヤ９は、保持体側基板８に形成された半田付けランド１５の上に、半田付けによって固定されている。レンズ保持体組品２５のまわりには、レンズ保持体組品２５を保持するために、スペーサ部材２、固定部側基板３およびベース１が形成されている。スペーサ部材２および固定部側基板３は、ビスによって互いに接合され、レンズ駆動装置の台座となるベース１に固定されている。金属ワイヤ９は、スペーサ部材２および固定部側基板３とを貫通して、固定部側基板３の表面に形成された半田付けランド１６に、半田付けによって固定されている。また、スペーサ部材２の金属ワイヤ９が貫通する部分には、金属ワイヤ９のダンピング材として、制振機能を有するものが挿入されている。
【０００８】
このように、レンズ保持体組品２５は、４本の金属ワイヤ９を介して、スペーサ部材２および固定部側基板３に保持されている。ベース１は、図示しない光ピックアップ装置に固定される。
【０００９】
トラッキングコイル７の正面には、間隙を介して駆動用マグネット１０が配置されている。駆動用マグネット１０は永久磁石である。駆動用マグネット１０は、磁界を形成するためのヨーク１１に取付けられている。ヨーク１１は、ベース１に固定されている。
【００１０】
レンズ保持体組品２５を、フォーカシング方向またはトラッキング方向に駆動する場合には、金属ワイヤ９を通じて、フォーカシングコイル６またはトラッキングコイル７に、電流を供給する。フォーカシングコイル６によって形成される磁界またはトラッキングコイル７によって形成される磁界と、駆動用マグネット１０およびヨーク１１が形成する磁界とが作用して、レンズ保持体組品２５がそれぞれの方向に移動する。レンズ保持体組品２５は、フォーカシングコイル６に電流が流れることによって、フォーカシング方向である矢印４１の方向に移動する。また、トラッキングコイル７に電流が流れることによって、トラッキング方向である矢印４５の方向に移動する。トラッキング方向またはフォーカシング方向にレンズ保持体組品が移動する際には、４本の金属ワイヤ９が湾曲する。金属ワイヤ９は、弾性支持体であり、弾性変形が可能なように形成されている。
【００１１】
このように、レンズ保持体組品２５を保持する方式として４本の金属ワイヤを用いるものでは、図９に示すように、金属ワイヤ９の一端をレンズ保持体組品２５に固定して、反対側の端を固定部側基板３に固定する。また、金属ワイヤ９を通じて、２つのコイルに電流を供給するため、金属ワイヤの両端における固定は、保持体側基板８および固定部側基板３に半田付けランド１５，１６をそれぞれ形成して、半田付けによって固定を行なうのが一般的である。
【特許文献１】特許第２８２７００４号（第２，３頁、第１，２図）
【特許文献２】特許第２５４６５４１号（第２，３頁、第１，２図）
【発明の開示】
【発明が解決しようとする課題】
【００１２】
図１０に、図９におけるレンズ駆動装置の断面図を示す。光記録媒体２０は、対物レンズ４に対向するように配置される。レンズ保持体５の側面には、フォーカシングコイル６が２列巻付けられ、フォーカシングコイル６の外側には、保持体側基板８が取付けられている。保持体側基板８の外側には、上側でレンズ保持体を挟み込む列と下側でレンズ保持体を挟みこむ列との２列の金属ワイヤ９が取付けられている。レンズ保持体５に固定されている対物レンズ４は、ガラスなどの材質によって形成されているため、レンズ保持体５に比べて重い。このため、レンズ保持体５と対物レンズ４とを含むレンズ保持体組品２５の重心は、重心位置３０に示すようにレンズ保持体５の上方の位置になる。これに対してトラッキングコイルによる駆動力を矢印４０に示す。この駆動力が作用する位置は、重心位置３０よりも下方である。
【００１３】
トラッキングコイルに電流を流して、トラッキング方向にレンズ保持体組品２５を駆動させた場合には、矢印４４に示すように、レンズ保持体５の下部の軌道が円弧になるように駆動されていた。いわゆる首振り運動を伴っていた。理想的には、光記録媒体２０の表面と平行になるように平行移動することが好ましい。すなわち、トラッキングコイルの駆動力である矢印４０に沿って、レンズ保持体組品２５が平行移動することが好ましい。しかし、重心位置３０と駆動力との上下における位置のずれによって、トラッキング方向に平行移動せず、レンズの性能を十分に発揮することができないという問題があった。
【００１４】
図１０に示すように、トラッキングコイルによるレンズ保持体組品の駆動において、回転成分を含む動きが生じないように、レンズ保持体５の下側に、バランスウエイト１７が取付けられることがある。しかしながら、バランスウエイト１７が取付けられると、レンズ保持体組品２５の重量が増し、トラッキング方向およびフォーカシング方向において、十分な推力を得ることが困難であるという問題があった。また、バランスウエイトを、レンズ保持体の下側に取付けることによって、レンズ駆動装置の全体の高さが大きくなり、レンズ駆動装置の小型化の障害になるという問題があった。さらに、バランスウエイト１７の部品の費用および組立費用が増大するという問題があった。
【００１５】
本発明は、上記の問題点を解決するためになされたものであり、レンズ保持体組品にバランスウエイトを取付けなくても、トラッキング方向にレンズ保持体組品が平行移動できるレンズ駆動装置を提供することを目的とする。
【課題を解決するための手段】
【００１６】
上記目的を達成するため、本発明に基づくレンズ駆動装置は、一の向きに発する光を集束させるためのレンズと、上記レンズが固定されたレンズ保持体と、巻き中心軸が上記一の向きに対して垂直になるように配置されたトラッキングコイルと、上記トラッキングコイルによる上記レンズ保持体の駆動方向に沿った両側から、上記レンズ保持体を挟みつつ、弾性変形が可能なように配置された棒状の弾性支持体とを備える。上記弾性支持体は、それぞれの長手方向が上記一の向きおよび上記駆動方向のいずれに対してもほぼ垂直になるように２列以上配置され、これらのうち任意の２列に注目したときに、上記レンズから遠い側の列にあるものが、他の列にあるものより、上記駆動方向に曲がりにくくなるように形成されている。この構成を採用することにより、バランスウエイトが取付けられることなく、上記レンズ保持体がトラッキング方向に平行移動するレンズ駆動装置を提供することができる。
【００１７】
上記発明において好ましくは、上記弾性支持体は、第１ワイヤと、上記レンズからみて上記第１ワイヤより遠くなるように配置された第２ワイヤとの２列で形成されている。この構成を採用することにより、上記弾性支持体の構成が単純になり、上記弾性支持体を容易に形成することができる。
【００１８】
上記発明において好ましくは、上記弾性支持体は、上記第２ワイヤの弾性係数が上記第１ワイヤの弾性係数より大きくなるように、異なる材料でそれぞれ形成されている。この構成を採用することによって、容易に上記第１ワイヤより上記第２ワイヤを上記駆動方向に曲げにくくすることができる。
【００１９】
上記発明において好ましくは、上記第１ワイヤまたは上記第２ワイヤは、材質にベリリウム銅を含む。この構成を採用することによって、上記弾性支持体を、金属疲労に対して強くすることができ、また、上記第１ワイヤまたは上記第２ワイヤを細くすることができる。
【００２０】
上記発明において好ましくは、上記第１ワイヤまたは上記第２ワイヤは、材質にリン青銅を含む。この構成を採用することにより、上記第１ワイヤまたは上記第２ワイヤを半田付けによって固定する際に、半田の付きがよくなって生産性が向上する。
【００２１】
上記発明において好ましくは、上記第１ワイヤおよび上記第２ワイヤは、円柱状に形成され、上記第２ワイヤの径が、上記第１ワイヤの径より大きくなるように形成されている。この構成を採用することによって、上記第１ワイヤおよび上記第２ワイヤの形成が容易になって、安価に上記第１ワイヤおよび上記第２ワイヤを形成することができる。
【００２２】
上記発明において好ましくは、上記第１ワイヤおよび上記第２ワイヤは、共に上記長手方向に垂直な断面が、互いに相似な楕円または長方形になるように形成され、上記第２ワイヤは、上記断面における面積が、上記第１ワイヤより大きくなるように形成されている。この構成を採用することによって、フォーカシング方向またはトラッキング方向に上記レンズ保持体が移動する際の上記第１ワイヤおよび上記第２ワイヤの曲げ剛性を調整することができ、レンズ駆動装置の特性を制御することができる。
【００２３】
上記発明において好ましくは、上記第１ワイヤおよび上記第２ワイヤは、共に上記長手方向に垂直な断面が、楕円または長方形になるように形成され、上記第２ワイヤは、上記断面における上記駆動方向の長さが、上記第１ワイヤより大きくなるように形成されている。この構成を採用することにより、上記第１ワイヤおよび上記第２ワイヤの上記水平方向の長さを変更することによって、トラッキング方向またはフォーカシング方向に上記レンズ保持体が移動する際の上記第１ワイヤまたは上記第２ワイヤの曲げ剛性を調整することができ、レンズ駆動装置の特性を制御することができる。
【発明の効果】
【００２４】
本発明によれば、バランスウエイトをレンズ保持体に取付けることなく、レンズ保持体組品を平行移動することができるレンズ駆動装置を提供することができる。
【発明を実施するための最良の形態】
【００２５】
（実施の形態１）
（構成）
図１から図３を参照して、本発明に基づく実施の形態１におけるレンズ駆動装置について説明する。
【００２６】
図１は、本実施の形態におけるレンズ駆動装置の斜視図である。矢印４１に示す方向がフォーカシング方向であり、矢印４５に示す方向がトラッキング方向である。各部材の配置は、図９に示した従来の技術に基づくレンズ駆動装置と同様である。対物レンズ４は、矢印４１の方向のうち、紙面上向きに発振するレーザ光を集束させるように形成されている。対物レンズ４は、レンズ保持体５に固定され、フォーカシング方向に垂直な面に配置されている。レンズ保持体５の側面のまわりには、フォーカシングコイル６が２列巻付けられている。フォーカシングコイル６は、巻中心軸が矢印４１に示す方向と平行になるように形成されている。レンズ保持体５の側面には、トラッキングコイル７が配置されている。トラッキングコイル７は、矢印４５および矢印４１に垂直な方向が巻中心軸となるように配置されている。トラッキングコイル７は、互いに対向するようにレンズ保持体の側面のうち対向する２つの側面に２つずつ配置されている。すなわち、本実施の形態においては、トラッキングコイル７が４つ配置されている。
【００２７】
レンズ保持体５の側面のうち、トラッキングコイル７が配置されている側面と隣り合う側面には、保持体側基板８が取付けられている。保持体側基板８には半田付けランド１５が形成されている。１つの保持体側基板８の半田付けランド１５には、弾性支持体として、第１ワイヤとしての金属ワイヤ９ａおよび第２ワイヤとしての金属ワイヤ９ｂが半田付けによって固定されている。金属ワイヤ９ａ，９ｂは、矢印４５および矢印４１に垂直な方向に配置されている。金属ワイヤ９ａ，９ｂは、固定部側基板３に固定されている。固定部側基板３は、スペーサ部材２の外側に配置されており、ビスによってスペーサ部材２に固定されている。金属ワイヤ９ａ，９ｂは、スペーサ部材２および固定部側基板３を貫通し、固定部側基板３の貫通部に形成された半田付けランド１６に半田付けによって固定されている。スペーサ部材２の金属ワイヤ９ａ，９ｂが貫通する部分には、金属ワイヤ９ａ，９ｂのダンピング材として、制振機能を有するものが挿入されている。このように、レンズ保持体組品２５は、４本の金属ワイヤ９ａ，９ｂに支持され、これらの４本の金属ワイヤ９ａ，９ｂが弾性変形することによって、移動可能なように形成されている。
【００２８】
スペーサ部材２および固定部側基板３はベース１に固定されている。また、ベース１には磁界を形成するためのヨーク１１が固定され、トラッキングコイル７の正面には、トラッキングコイル７に対向するように、トラッキングコイル７と間隙をあけて駆動用マグネット１０が配置されている。駆動用マグネット１０は、２組のトラッキングコイル７のそれぞれに対向するように２つ配置されている。
【００２９】
図２に示すように、保持体側基板８は、レンズ保持体５を挟み込むようにレンズ保持体５の２つの側面に対向するように取付けられている。金属ワイヤ９ａ，９ｂは、矢印４５に示すトラッキングコイルによるレンズ保持体組品の駆動方向に沿った両側からレンズ保持体５を挟み込み込むように形成されている。
【００３０】
図１において、本実施の形態における弾性支持体は、対物レンズ４に近い側に配置された１列目の金属ワイヤ９ａと、対物レンズ４から遠い側に配置された２列目の金属ワイヤ９ｂを含む。金属ワイヤ９ａ，９ｂは、それぞれレンズ保持体５を挟みこむように２本ずつ形成されている。金属ワイヤ９ａ，９ｂは、それぞれの長手方向に垂直な断面が円形の棒状で外形の寸法は同一である。本実施の形態におけるレンズ駆動装置は、弾性支持体としての金属ワイヤの材質が従来の技術に基づくレンズ駆動装置と異なる。第１列目の金属ワイヤ９ａは、２列目の金属ワイヤ９ｂに比べて弾性係数が小さくなるように材質が選定されている。すなわち、金属ワイヤ９ａと金属ワイヤ９ｂとは、弾性係数が互いに異なる材料が用いられている。本実施の形態においては、第１列の金属ワイヤ９ａにリン青銅が使用され、第２列の金属ワイヤ９ｂにベリリウム銅が使用されている。また、４本の金属ワイヤ９ａ，９ｂは、フォーカシングコイル６およびトラッキングコイル７への電流を供給するための導線としても用いられている。
【００３１】
（作用・効果）
図１において、レンズ駆動装置は、固定部側基板３の側から、金属ワイヤ９ａまたは金属ワイヤ９ｂを通じて、フォーカシングコイル６に電流を流すことによって、レンズ保持体組品２５が、矢印４１に示すフォーカシング方向に移動する。この際、駆動用マグネット１０およびヨーク１１によって構成される磁気回路とフォーカシングコイル６が発生する磁界とが相互に作用してレンズ保持体組品２５が移動する。同様に、固定部側基板３から金属ワイヤ９ａまたは金属ワイヤ９ｂを通じて、トラッキングコイル７に電流を流すことによって、矢印４５に示すトラッキング方向にレンズ保持体組品２５が移動する。
【００３２】
図３に、本実施の形態におけるレンズ駆動装置の断面図を示す。図３は、本実施の形態におけるレンズ駆動装置のうち、対物レンズの平面形状である円の中心を通る面で切断した断面図である。レンズ保持体５は、対物レンズ４の上面が光記録媒体２０の情報が記録されている面と略平行になるように配置される。対物レンズ４で集光されたレーザ光は、光記録媒体２０で反射する。この反射光を捉えることによって、光記録媒体２０の表面に記録された情報を読み取る。
【００３３】
図３において、トラッキングコイルに電流が流れることによって、レンズ保持体組品２５に矢印４０に示す駆動力が働く。レンズ保持体組品の重心位置３０は、駆動力よりも上方に位置する。本実施の形態においては、対物レンズ４に遠い側に配置された２列目の金属ワイヤ９ｂは、１列目の金属ワイヤ９ａに比べて弾性係数が大きくなるような材質が選択されている。すなわち、金属ワイヤ９ｂは、金属ワイヤ９ａよりも曲がりにくい材質で形成されている。したがって、図１０に示した従来の技術に基づくレンズ駆動装置のように、重心位置３０を中心に矢印４４に示すような首振り運動を起こそうとする力を打消すことができる。この結果、レンズ保持体組品は、矢印４０のトラッキングコイルによる駆動力に対して、矢印４３に示すように水平方向に平行移動する。
【００３４】
このように、対物レンズ４から遠い側の列にある金属ワイヤが、他の列にある金属ワイヤよりもトラッキング方向の駆動方向に曲がりにくくなるように形成することによって、レンズ保持体組品をトラッキング方向に平行移動することができる。重心位置３０とトラッキングコイルによる駆動力である矢印４０の位置のずれを打消すことができ、レンズ保持体５が回転移動しようとする動きを抑制することができる。この結果、レンズの特性を十分に生かすことができる。また、バランスウエイトを廃止することができて、レンズ駆動装置の重量が軽くなって、コイルの駆動力を十分に生かすことができる。また、レンズ駆動装置のフォーカシング方向の長さを小さくすることができて、レンズ駆動装置の小型化が行なえる。さらに、部品数が減少してレンズ駆動装置の価格の低減化にも寄与する。
【００３５】
弾性支持材としての金属ワイヤの材質は、上記に限られず、下側の第２列の弾性支持体の弾性係数が、上側の第１列の弾性係数よりも大きくなるようなものを選定すればよい。たとえば、第１列の金属ワイヤ９ａにチタン銅が使用され、第２列の金属ワイヤ９ｂにベリリウム銅が使用されていてもよいし、第１列の金属ワイヤ９ａにベリリウム銅が使用され、第２列の金属ワイヤ９ｂにステンレスが使用されていてもよい。
【００３６】
本実施の形態においては、いずれの方向においても金属ワイヤ９ａより金属ワイヤ９ｂの方が曲がりにくく形成されているが、少なくとも、トラッキング方向に金属ワイヤ９ａ，９ｂが曲がる際に、金属ワイヤ９ａより金属ワイヤ９ｂの方が曲がりにくく形成されていればよい。すなわち、金属ワイヤを水平方向が軸方向となるように片方の端を固定して、反対側の端を自由端とした場合における、金属ワイヤを水平方向（トラッキング方向）に曲げるときの曲げ剛性が、レンズに近い第１列の金属ワイヤよりレンズから遠い第２列の金属ワイヤの方が大きければよい。
【００３７】
本実施の形態においては、第１ワイヤとしての金属ワイヤ９ａと第２ワイヤとしての金属ワイヤ９ｂとによって弾性支持体が形成されている。このように、弾性支持体に金属ワイヤを採用することによって、容易に弾性支持体を形成することができる。また、本実施の形態の弾性支持体は、上側の第１列にある金属ワイヤ９ａと下側にある第２列の金属ワイヤ９ｂとの２列によって弾性支持体が形成されているが、特にこの構成に限られず、３列以上の弾性支持体が形成されていてもよい。この場合においても、３列以上の列のうち、任意の２列に注目したときに、対物レンズから遠い側の列にあるものが、他の列にあるものより曲がりにくくなるように形成されることによって、トラッキング方向にレンズ保持体組品を平行移動させることができる。
【００３８】
また、従来の技術に基づく金属ワイヤとしては、ステンレスなどを使用して形成されていた。本実施の形態においては、金属ワイヤ９ｂは、材質にベリリウム銅を含む。この構成を採用することによって、リン青銅などを使用した場合と比較して、金属疲労が生じにくくなる。また、断面積が同じワイヤ同士を比較した場合、曲げ剛性を大きくすることができ、同じ曲げ剛性の大きさを維持して金属ワイヤを細くすることができる。
【００３９】
また、金属ワイヤ９ａは、材質にリン青銅を含む。リン青銅を含む金属ワイヤを使用することによって、金属ワイヤを半田付けランドなどに半田付けによって固定する場合に、半田のつきがよくなって、作業性が向上する。
【００４０】
（実施の形態２）
（構成）
図４および図５を参照して、本発明に基づく実施の形態２におけるレンズ駆動装置について説明する。
【００４１】
図４は、本実施の形態におけるレンズ駆動装置のうち、レンズ保持体５が金属ワイヤ９ｃ，９ｄを介して固定部側基板３に保持されている部分の拡大斜視図である。弾性支持体として、第１ワイヤおよび第２ワイヤが形成され、第１ワイヤおよび第２ワイヤがそれぞれ保持体側基板８および固定部側基板３に固定されていることは実施の形態１と同様である。また、弾性支持体が４本形成されていることも実施の形態１と同様である。
【００４２】
本実施の形態においては、弾性支持体として、同一の材質で形成された金属ワイヤ９ｃおよび金属ワイヤ９ｄが配置されている。弾性支持体は、レンズ保持体組品２５を支えている。金属ワイヤ９ｃおよび金属ワイン９ｄは、長手方向に垂直な断面が、円形になるように形成されている。第１ワイヤとしての金属ワイヤ９ｃと第２ワイヤとしての金属ワイヤ９ｄとは、円柱状に形成されている。本実施の形態における弾性支持体は、金属ワイヤ９ｄの径が、金属ワイヤ９ｃの径よりも大きくなるように形成されている。すなわち、金属ワイヤ９ｃよりも金属ワイヤ９ｄの方が太くなるように形成されている。金属ワイヤ９ｃ，９ｄが、保持体側基板８および固定部側基板３に半田付けによって固定されていることや、金属ワイヤ９ｃおよび金属ワイヤ９ｄがそれぞれレンズ保持体５を挟み込むように、片側に２本ずつ形成されていることは、実施の形態１におけるレンズ駆動装置と同様である。
【００４３】
その他の構成については、実施の形態１におけるレンズ駆動装置と同様であるので、ここでは説明を繰返さない。
【００４４】
（作用・効果）
図５に、本実施の形態におけるレンズ駆動装置において、対物レンズの平面形状である円の中心を通る面で切断した断面図を示す。図５において、金属ワイヤ９ｃまたは金属ワイヤ９ｄを通じてトラッキングコイルに電流が流され、レンズ保持体組品に対してトラッキング方向に沿うように、矢印４０に示す駆動力が働くことは実施の形態１と同様である。レンズ保持体組品の重心位置３０と矢印４０に示す駆動力との位置がずれていることも実施の形態１と同様である。
【００４５】
本実施の形態においては、第１ワイヤとしての金属ワイヤ９ｃの径が、第２ワイヤとしての金属ワイヤ９ｄの径よりも大きくなるように形成されている。この構成を採用することによって、金属ワイヤ９ｃの曲げ剛性を金属ワイヤ９ｄの曲げ剛性より大きくすることができる。トラッキングコイルが駆動することによって得られる矢印４０に示す駆動力とレンズ保持体組品の重心位置３０との位置のずれを打消すことができ、レンズ保持体組品を矢印４３に示すように、水平方向に平行移動させることができる。また、金属ワイヤ９ｃ，９ｄの径を変更することによって、トラッキング方向またはフォーカシング方向にレンズ保持体５が移動する際の曲げ剛性を調整することができる。
【００４６】
また、弾性支持体として、円柱状の金属ワイヤを用いることによって、容易に弾性支持体を形成することができる。また、ワイヤ部品は容易に入手することができ、安価な弾性支持体を形成することができる。また、円柱状であるため、曲げ剛性を調整する手段として、容易に加工を行なうことができる。
【００４７】
本実施の形態においては、金属ワイヤの長手方向に垂直な断面が円形であったが、断面が正方形や正八角形などの金属ワイヤであっても本発明を適用することができる。
【００４８】
その他の作用および効果については実施の形態１におけるレンズ駆動装置と同様であるのでここでは説明を繰返さない。
【００４９】
（実施の形態３）
（構成）
図６を参照して、本実施の形態におけるレンズ駆動装置について説明する。図６は、本実施の形態における駆動装置を、対物レンズ４の平面形状である円の中心を通る面で切断したときの断面図である。弾性支持体として、第１ワイヤおよび第２ワイヤが形成され、第１ワイヤおよび第２ワイヤがそれぞれ保持体側基板８および固定部側基板に固定されていることは実施の形態１と同様である。また、弾性支持体が４本形成されていることも実施の形態１と同様である。
【００５０】
本実施の形態においては、第１ワイヤとしての金属ワイヤ９ｅと第２ワイヤとしての金属ワイヤ９ｆとは長手方向に垂直な断面の形状が長方形になるように形成されている。金属ワイヤ９ｅおよび金属ワイヤ９ｆは、同一の材質でそれぞれが棒状に形成されている。金属ワイヤ９ｅの断面形状は金属ワイヤ９ｆの断面形状と相似になるように形成され、それぞれの短辺の方向が同じになるように配置されている。金属ワイヤ９ｆは、長手方向に垂直な断面における面積が、金属ワイヤ９ｅの長手方向に垂直な断面における面積より大きくなるように形成されている。すなわち、金属ワイヤ９ｆは、金属ワイヤ９ｅより大きくなるように形成されている。
【００５１】
その他の構成については、実施の形態１におけるレンズ駆動装置と同様であるので、ここでは説明を繰返さない。
【００５２】
（作用・効果）
図６において、金属ワイヤ９ｅまたは金属ワイヤ９ｆを通じてトラッキングコイルに電流が流され、レンズ保持体組品に対してトラッキング方向に沿うように、矢印４０に示す駆動力が働くことは実施の形態１と同様である。レンズ保持体組品の重心位置３０と矢印４０に示す駆動力との位置がずれていることも実施の形態１と同様である。
【００５３】
本実施の形態におけるレンズ駆動装置は、金属ワイヤ９ｅの断面と金属ワイヤ９ｆの断面とが相似になるように形成され、金属ワイヤ９ｆの断面積が、金属ワイヤ９ｅの断面積よりも大きくなるように形成されている。この構成を採用することによって、金属ワイヤ９ｆの矢印４０に沿った方向にレンズ保持体５が移動する際の曲げ剛性を金属ワイヤ９ｅの矢印４０に沿った方向にレンズ保持体５が移動する際の曲げ剛性よりも大きくすることができる。したがって、矢印４０に示す駆動力とレンズ保持体組品の重心位置３０との位置のずれを打ち消すことができ、レンズ保持体組品を矢印４３に示すように水平方向に平行移動させることができる。
【００５４】
金属ワイヤ９ｅおよび金属ワイヤ９ｆの断面積を調整することによって、それぞれの弾性支持体のトラッキング方向にレンズ保持体５が移動する際の曲げ剛性を調整することができる。すなわち、金属ワイヤ９ｅに対する金属ワイヤ９ｆの相対的な断面積の相似比を調整することによって、保持体組品の重心位置３０とトラッキング方向に沿った駆動力である矢印４０の位置とのずれを微調整することができる。また、同様に、フォーカシング方向にレンズ保持体５が移動する際の曲げ剛性の微調整も行なうことができる。さらに、金属ワイヤ９ｅの断面の形状と金属ワイヤ９ｆの断面の形状とを相似にすることによって、それぞれの金属ワイヤの形成が容易になり、また、金属ワイヤの太さ、長さ、または取付け位置などの設計が容易になる。
【００５５】
また、それぞれの金属ワイヤ９ｅ，９ｆの長方形の形状における長辺と短辺との比率を変更することによって、トラッキング方向またはフォーカシング方向にレンズ保持体５が移動する際の曲げ剛性をそれぞれ調整することができる。
【００５６】
本実施の形態においては、金属ワイヤ９ｅと金属ワイヤ９ｆとは断面の形状が長方形になるように形成されているが、この形態に限られず、断面形状が互いに相似な楕円であっても、第１ワイヤおよび第２ワイヤの長軸の向きが互いに平行になるように配置して、本発明を適用することができる。この場合には、楕円の長軸と短軸の比率を変更することによって、フォーカシング方向またはトラッキング方向にレンズ保持体５が移動する際の曲げ剛性を制御することができる。
【００５７】
その他の作用および効果について、実施の形態１におけるレンズ駆動装置と同様であるのでここでは説明を繰返さない。
【００５８】
（実施の形態４）
（構成）
図７を参照して、本実施の形態におけるレンズ駆動装置について説明する。図７は、本実施の形態における駆動装置を、対物レンズ４の平面形状である円の中心を通る面で切断したときの断面図である。弾性支持体として、第１ワイヤおよび第２ワイヤが形成され、第１ワイヤおよび第２ワイヤがそれぞれ保持体側基板８および固定部側基板に固定されていることは実施の形態１と同様である。また、弾性支持体が４本形成されていることも実施の形態１と同様である。
【００５９】
本実施の形態においては、第１ワイヤとしての金属ワイヤ９ｇおよび第２ワイヤとしての金属ワイヤ９ｈは、同一の材質で棒状に形成され、それぞれの長手方向に垂直な断面が楕円になるように形成されている。また、断面の楕円の大きさは同じである。ここで、金属ワイヤ９ｇは、断面における短軸がトラッキング方向（ここでは、水平方向）と平行になるように配置されている。また、金属ワイヤ９ｈは、断面における長軸がトラッキング方向（ここでは、水平方向）と平行になるように配置されている。
【００６０】
その他の構成については、実施の形態１におけるレンズ駆動装置と同様であるので、ここでは説明を繰返さない。
【００６１】
（作用・効果）
図７において、金属ワイヤ９ｇまたは金属ワイヤ９ｈを通じてトラッキングコイルに電流が流され、レンズ保持体組品に対して矢印４０に示す駆動力が働くことは実施の形態１と同様である。レンズ保持体組品の重心位置３０と矢印４０に示す駆動力との位置がずれていることも実施の形態１と同様である。
【００６２】
本実施の形態においては、第１ワイヤとしての金属ワイヤ９ｇおよび第２ワイヤとしての金属ワイヤ９ｈは、断面が楕円になるように形成されている。金属ワイヤ９ｈは、断面における矢印４０に示す駆動力に平行な方向の長さが、金属ワイヤ９ｇよりも長くなるように形成されている。すなわち、金属ワイヤ９ｈは、断面形状の長軸が水平方向と平行になるように配置され、金属ワイヤ９ｇは、断面形状の短軸が水平方向と平行になるように配置されている。この構成を採用することによって、矢印４０に示す駆動力に沿った方向にレンズ保持体５が移動する際の金属ワイヤ９ｈの曲げ剛性を、同様の金属ワイヤ９ｇの曲げ剛性より大きくすることができる。すなわち、対物レンズ４よりも遠い側に配置されている金属ワイヤ９ｈの方が、対物レンズ４に近い側に配置されている金属ワイヤ９ｇに比べてトラッキング方向の駆動力に沿った方向に曲がりにくくなる。この結果、トラッキングコイルによる駆動力を示す矢印４０とレンズ保持体組品の重心位置３０とのずれを打ち消すことができ、レンズ保持体組品を矢印４３に示すように水平方向に平行移動させることができる。
【００６３】
本実施の形態においては、金属ワイヤ９ｇと金属ワイヤ９ｈとは、断面の形状および断面積が同一である。金属ワイヤ９ｇと金属ワイヤ９ｈとは同一の金属ワイヤであり、向きを変えて使用している。したがって、第１ワイヤと第２ワイヤとをそれぞれ別に製造する必要はなく、同一規格のワイヤから同様に切り出すだけで第１ワイヤおよび第２ワイヤを形成することができる。また、第１ワイヤまたは第２ワイヤの取り付ける向きを変更することによって、フォーカシング方向およびトラッキング方向の曲げ剛性を調整することができる。本実施の形態においては、金属ワイヤの断面形状の長軸または短軸がトラッキング方向の駆動方向と平行になるように取りつけられているが、たとえば、長軸が斜めになるように取りつけられていてもよい。このように、本形態における弾性支持体は、準備すべきワイヤ素材の種類を減らすことができる。その結果、安価にレンズ駆動装置を製造することができる。
【００６４】
また、金属ワイヤ９ｇ，９ｈの断面の楕円における長軸と短軸との比率を変更したものを取り付けることによって、トラッキングコイルによる駆動力と重心位置３０とのずれを微調整することができる。さらに、フォーカシング方向またはトラッキング方向のレンズ保持体５が移動する際のそれぞれの曲げ剛性を調整することができる。
【００６５】
本実施の形態においては、第１列の金属ワイヤと第２列の金属ワイヤの断面積を同じにしたが、この形態に限られず、たとえば金属ワイヤ９ｈの断面積を、金属ワイヤ９ｇの断面積より大きくしてもかまわない。すなわち、実施の形態３と実施の形態４とを組合せた弾性支持体を形成してもよい。
【００６６】
その他の作用および効果については実施の形態１におけるレンズ駆動装置と同様であるので、ここでは説明を繰返さない。
【００６７】
（実施の形態５）
（構成）
図８を参照して、本実施の形態におけるレンズ駆動装置について説明する。図８は、本実施の形態における駆動装置を、対物レンズ４の平面形状である円の中心を通る面で切断したときの断面図である。弾性支持体として、第１ワイヤおよび第２ワイヤが形成され、第１ワイヤおよび第２ワイヤが保持体側基板８および固定部側基板にそれぞれ固定されていることは実施の形態１と同様である。また、弾性支持体が４本形成されていることも実施の形態１と同様である。
【００６８】
本実施の形態におけるレンズ駆動装置は、第１ワイヤとしての金属ワイヤ９ｉと第２ワイヤとしての金属ワイヤ９ｊの長手方向に垂直な断面の形状が全く異なる。金属ワイヤ９ｉの断面形状は長方形になるように形成され、金属ワイヤ９ｊの断面は楕円になるように形成されている。金属ワイヤ９ｉおよび金属ワイヤ９ｊは、それぞれ棒状に形成されている。ここで、矢印４０に示す駆動力に沿った方向にレンズ保持体５が移動する際の金属ワイヤ９ｊの曲げ剛性は、同様の際の金属ワイヤ９ｉの曲げ剛性よりも大きくなるようにそれぞれの形状および大きさが定められている。
【００６９】
その他の構成については、実施の形態１におけるレンズ駆動装置と同様であるので、ここでは説明を繰返さない。
【００７０】
（作用・効果）
トラッキングコイルに金属ワイヤ９ｉまたは金属ワイヤ９ｊを通じて電流が流され、矢印４０に示す駆動力がレンズ保持体組品に働くことは、実施の形態１におけるレンズ駆動装置と同様である。
【００７１】
本実施の形態においては、第１ワイヤおよび第２ワイヤの断面形状が全く異なり、矢印４０に沿った方向にレンズ保持体５が移動する際の金属ワイヤ９ｊの曲げ剛性が、同様の際の金属ワイヤ９ｉの曲げ剛性よりも大きくなるように形成されている。すなわち、金属ワイヤ９ｊは、トラッキング方向において、金属ワイヤ９ｉよりも曲がりにくくなっている。この構成を採用することによって、トラッキングコイルによる駆動力である矢印４０の位置とレンズ保持体組品の重心位置３０との位置のずれを打消すことができ、レンズ保持体組品を矢印４３に示すように駆動方向と平行な方向（ここでは、水平方向）に駆動するとができる。
【００７２】
また、本実施の形態においては、金属ワイヤ９ｉおよび金属ワイヤ９ｊとが異なる断面形状を有している。この構成を採用することによって、トラッキング方向の駆動力を示す矢印４０の位置とレンズ保持体組品の重心位置３０とのずれを打消す際に、微調整をすることができる。また、トラッキング方向またはフォーカシング方向に曲がる際の曲げ剛性をそれぞれ微調整することができる。
【００７３】
その他の作用および効果については、実施の形態１におけるレンズ駆動装置と同様であるのでここでは説明を繰返さない。
【００７４】
上記の実施の形態に示したように、第１列として配置された第１ワイヤと第２列として配置された第２ワイヤとは、形状や色などが似ていて、組立て作業時に識別が困難である場合がある。このような場合は、識別しやすいように少なくともいずれか一方に着色することが好ましい。たとえば、第１ワイヤと第２ワイヤとについて、それぞれ異なる色で着色しておく。このようにすることによって、作業時の識別が容易になり作業性が向上して、さらに組立てミスも防止できる。
【００７５】
なお、今回開示した上記実施の形態はすべての点で例示であって制限的なものではない。本発明の範囲は上記した説明ではなくて特許請求の範囲によって示され、特許請求の範囲と均等の意味および範囲内でのすべての変更を含むものである。
【図面の簡単な説明】
【００７６】
【図１】本発明に基づく実施の形態１におけるレンズ駆動装置の斜視図である。
【図２】本発明に基づく実施の形態１におけるレンズ駆動装置の平面図である。
【図３】本発明に基づく実施の形態１におけるレンズ駆動装置の断面図である。
【図４】本発明に基づく実施の形態２におけるレンズ駆動装置の拡大斜視図である。
【図５】本発明に基づく実施の形態２におけるレンズ駆動装置の断面図である。
【図６】本発明に基づく実施の形態３におけるレンズ駆動装置の断面図である。
【図７】本発明に基づく実施の形態４におけるレンズ駆動装置の断面図である。
【図８】本発明に基づく実施の形態５におけるレンズ駆動装置の断面図である。
【図９】従来の技術に基づくレンズ駆動装置の斜視図である。
【図１０】従来の技術に基づくレンズ駆動装置の断面図である。
【符号の説明】
【００７７】
１  ベース、２  スペーサ部材、３  固定部側基板、４  対物レンズ、５  レンズ保持体、６  フォーカシングコイル、７  トラッキングコイル、８  保持体側基板、９，９ａ，９ｂ，９ｃ，９ｄ，９ｅ，９ｆ，９ｇ，９ｈ，９ｉ，９ｊ  金属ワイヤ、１０  駆動用マグネット、１１  ヨーク、１５，１６  半田付けランド、１７  バランスウエイト、２０  光記録媒体、２５  レンズ保持体組品、３０  重心位置、４０，４１，４３，４４，４５  矢印。
【図１】
2005107145.tif 000003
【図２】
2005107145.tif 000004
【図３】
2005107145.tif 000005
【図４】
2005107145.tif 000006
【図５】
2005107145.tif 000007
【図６】
2005107145.tif 000008
【図７】
2005107145.tif 000009
【図８】
2005107145.tif 000010
【図９】
2005107145.tif 000011
【図１０】
2005107145.tif 000012